(57)【要約】      （修正有）【課題】多機能MCUの実現方法及び多機能MCUを提供する。【解決手段】ユーザから入力した機能操作指令を取得する。機能操作指令が対応する操作は認証である場合、ユーザの指紋をスキャニングし、ユーザの指紋よりユーザに対し身分認証を行う。機能操作指令が対応する操作はデータの保存である場合、データを所定の保存スペースに保存する。機能操作指令が対応する操作は充電である場合、所定の設備に対し充電する。多機能MCU２０は、取得モジュール２０１、認証モジュール２０２、保存モジュール２０３及び充電モジュール２０４を含む。機能操作指令を取得することにより、機能操作指令と対応する操作に基づいて、認証、データ保存、充電など複数の機能を実現して、ユーザの使用に便利を図る。【選択図】図２
2015008462.tif 000002
【特許請求の範囲】
【請求項１】
多機能MCUの実現方法であって、
前記方法は、
ユーザから入力した機能操作指令を取得する；
もし前記機能操作指令が対応する操作は認証である場合、ユーザの指紋をスキャニングし、ユーザの指紋よりユーザに対し身分認証を行う；
もし前記機能操作指令が対応する操作はデータの保存である場合、データを所定の保存スペースに保存する；
もし前記機能操作指令が対応する操作は充電である場合、所定の設備に対し充電する。
ことを特徴とする。
【請求項２】
請求項1に記載された方法であって、
前記方法は、
前記機能操作指令が対応する操作はデータ伝送である場合、所定の設備の間にデータ伝送を行なうことを更に含むことを特徴とする。
【請求項３】
請求項1に記載された方法であって、
前記方法は、
前記機能操作指令が対応する操作は秘密鍵の生成である場合、ユーザの指紋より公開鍵及び私有鍵を生成して、公開鍵を所定の保存スペースに転送し、私有鍵を所定の保存スペースに保存することを更に含むことを特徴とする。
【請求項４】
請求項3に記載された方法であって、
前記方法は、
前記機能操作指令が対応する操作は暗号化である場合、所定の通信情報及び通信ファイルを公開鍵で暗号化され、暗号化された通信情報及び通信ファイルを受信端に送信することを更に含むことを特徴とする。
【請求項５】
請求項3に記載された方法であって、
前記方法は、
前記機能操作指令が対応する操作は解読である場合、暗号化された通信情報及び通信ファイルを私有鍵で解読して、解読された通信情報及び通信ファイルを得ることを更に含むことを特徴とする。
【請求項６】
請求項1に記載された方法であって、
前記方法は、
前記機能操作指令が対応する操作はロックスクリーンである場合、所定のスクリーンをロックすることを更に含むことを特徴とする。
【請求項７】
請求項1に記載された方法であって、
前記方法は、
前記機能操作指令が対応する操作はプログラムをロックする場合、所定のプログラムをロックすることを更に含むことを特徴とする。
【請求項８】
請求項1に記載された方法であって、
前記方法は、
前記機能操作指令が対応する操作は異なる指紋より異なるプログラムをロックすることを設定する場合、所定の指紋をスキャニングし、所定の指紋と対応するプログラムを起動することを更に含むことを特徴とする。
【請求項９】
請求項1に記載された方法であって、
前記方法は、
前記機能操作指令が対応する操作は暗号化情報をチェックする時間又は解読された情報が表示される時間を設定する場合、暗号化情報の時間設定インターフェイス又は解読された情報の時間設定インターフェイスを表示することを更に含むことを特徴とする。
【請求項１０】
請求項1に記載された方法であって、
前記方法は、
前記機能操作指令が対応する操作は外部機器を操作する場合、所定の操作プロセスに従って対応する外部機器を操作することを更に含むことを特徴とする。
【請求項１１】
請求項1に記載された方法であって、
前記方法は、
前記機能操作指令が対応する操作は情報確認である場合、ユーザのショッピング情報を取得し、ユーザのショッピング情報を確認して、受注確認を生成することを更に含むことを特徴とする。
【請求項１２】
請求項1に記載された方法であって、前記ユーザが入力した機能操作指令を取得してから、
所定の機能操作指令と操作との対応関係を照会する；
所定の機能操作指令と対応する操作が照会結果に入るか否かを判断する；
もし照会結果に入る場合、所定の機能操作指令と対応する操作のタイプを判断する；
もし前記機能操作指令が対応する操作は認証である場合、ユーザの指紋をスキャニングし、ユーザの指紋よりユーザに対し身分認証を行う；
もし前記機能操作指令が対応する操作はデータの保存である場合、データを所定の保存スペースに保存する；
もし前記機能操作指令が対応する操作は充電である場合、所定の設備に対し充電することを更に含むことを特徴とする。
【請求項１３】
多機能MCUであって、
前記多機能MCUは、
取得モジュール、ユーザから入力した機能操作指令を取得する；
認証モジュール、前記取得モジュールが取得した前記機能操作指令が対応する操作は認証である場合、ユーザの指紋をスキャニングし、ユーザの指紋よりユーザに対し身分認証を行う；
保存モジュール、前記取得モジュールが取得した前記機能操作指令が対応する操作はデータの保存である場合、データを所定の保存スペースに保存する；
充電モジュール、前記取得モジュールが取得した前記機能操作指令が対応する操作は充電である場合、所定の設備に対し充電する
ことを特徴とする。
【請求項１４】
請求項13に記載された多機能MCUであって、
前記多機能MCUは、
前記取得モジュールが取得した前記機能操作指令が対応する操作はデータ伝送である場合、所定の設備の間にデータ伝送を行なう第1の伝送モジュールを更に含むことを特徴とする。
【請求項１５】
請求項13に記載された多機能MCUであって、
前記多機能MCUは、
前記取得モジュールが取得した前記機能操作指令が対応する操作は秘密鍵の生成である場合、ユーザの指紋より公開鍵及び私有鍵を生成して、公開鍵を所定の保存スペースに転送し、私有鍵を所定の保存スペースに保存する秘密鍵生成モジュールを更に含むことを特徴とする。
【請求項１６】
請求項13に記載された多機能MCUであって、
前記多機能MCUは、
前記取得モジュールが取得した前記機能操作指令が対応する操作は暗号化である場合、所定の通信情報及び通信ファイルを公開鍵で暗号化され、暗号化された通信情報及び通信ファイルを受信端に送信する暗号化モジュールを更に含むことを特徴とする。
【請求項１７】
請求項13に記載された多機能MCUであって、
前記多機能MCUは、
前記取得モジュールが取得した前記機能操作指令が対応する操作は解読である場合、暗号化された通信情報及び通信ファイルを私有鍵で解読して、解読された通信情報及び通信ファイルを得る解読モジュールを更に含むことを特徴とする。
【請求項１８】
請求項13に記載された多機能MCUであって、
前記多機能MCUは、
前記取得モジュールが取得した前記機能操作指令が対応する操作はロックスクリーンである場合、所定のスクリーンをロックするロックスクリーンモジュールを更に含むことを特徴とする。
【請求項１９】
請求項13に記載された多機能MCUであって、
前記多機能MCUは、
前記取得モジュールが取得した前記機能操作指令が対応する操作はプログラムをロックする場合、所定のプログラムをロックするロックプログラムモジュールを更に含むことを特徴とする。
【請求項２０】
請求項13に記載された多機能MCUであって、
前記多機能MCUは、
前記取得モジュールが取得した前記機能操作指令が対応する操作は異なる指紋より異なるプログラムをロックすることを設定する場合、所定の指紋をスキャニングし、所定の指紋と対応するプログラムを起動する起動モジュールを更に含むことを特徴とする。
【請求項２１】
請求項13に記載された多機能MCUであって、
前記多機能MCUは、
前記取得モジュールが取得した前記機能操作指令が対応する操作は暗号化情報をチェックする時間又は解読された情報が表示される時間を設定する場合、暗号化情報の時間設定インターフェイス又は解読された情報の時間設定インターフェイスを表示する時間設定モジュールを更に含むことを特徴とする。
【請求項２２】
請求項13に記載された多機能MCUであって、
前記多機能MCUは、
前記取得モジュールが取得した前記機能操作指令が対応する操作は外部機器を操作する場合、所定の操作プロセスに従って対応する外部機器を操作する外部モジュールを更に含むことを特徴とする。
【請求項２３】
請求項13に記載された多機能MCUであって、
前記多機能MCUは、
前記取得モジュールが取得した前記機能操作指令が対応する操作は情報確認である場合、ユーザのショッピング情報を取得し、ユーザのショッピング情報を確認して、受注確認を生成する確認モジュールを更に含むことを特徴とする。
【請求項２４】
請求項13に記載された多機能MCUであって、
前記多機能MCUは、
前記取得モジュールが取得したユーザが入力した機能操作指令を取得してから、所定の機能操作指令と操作との対応関係を照会する照会モジュール；
前記照会モジュールが所定の機能操作指令と対応する操作を照会できたか否かを判断する第1の判断モジュール；
前記第1の判断モジュールの判断結果は照会出来ました場合、所定の機能操作指令と対応する操作のタイプを判断する第2の判断モジュール；
前記第2の判断モジュールの判断結果は前記機能操作指令と対応する操作が認証である場合、認証モジュールに通知して、ユーザの指紋をスキャニングし、ユーザの指紋よりユーザに対し身分認証を行うステップを実行する第1の通知モジュール；
前記第2の判断モジュールの判断結果は前記機能操作指令と対応する操作がデータの保存である場合、保存モジュールに通知して、データを所定の保存スペースに保存するステップを実行する第2の通知モジュール；
前記第2の判断モジュールの判断結果は前記機能操作指令と対応する操作が充電である場合、充電モジュールに通知して、所定の設備に対し充電するステップを実行する第3の通知モジュールを更に含むことを特徴とする。
【発明の詳細な説明】
【技術分野】
【０００１】
本発明は、電子技術分野に関し、特に多機能MCUの実現方法及び多機能MCUに関わっている。
【背景技術】
【０００２】
携帯など移動端末の広い普及と伴って、移動端末を変えない前提で、移動端末の機能を増えるために、現在各種の移動端末に応用される補助電子設備を開発し、例えば、指紋認証装置＋メモリーを組合せて形成された指紋保存設備、指紋認証装置＋充電器を組合せて形成された指紋充電器などである。
【０００３】
ところが、指紋保存設備、指紋充電器の設計がただ各モジュールセットの簡単な組合せであり、モジュールセットの大きさの制限により、該タイプの設計が多くの機能を有することが不可能で、ある具体な機能だけに限定され、ユーザが限られた機能内で使用できる。
【発明の概要】
【０００４】
先行技術の問題を解決するために、本発明の実施例は多機能MCUの実現方法を提供して、本発明の技術案とは、具体的に下記のように参照する。
【０００５】
一方では、本発明は多機能MCUの実現方法を開示され、前記方法は下記の内容を含む：
ユーザから入力した機能操作指令を取得する；
もし前記機能操作指令が対応する操作は認証である場合、ユーザの指紋をスキャニングし、ユーザの指紋よりユーザに対し身分認証を行う；
もし前記機能操作指令が対応する操作はデータの保存である場合、データを所定の保存スペースに保存する；
もし前記機能操作指令が対応する操作は充電である場合、所定の設備に対し充電する。
【０００６】
もう一方では、本発明は多機能MCUを開示され、前記多機能MCUは下記の部分を含む：
取得モジュール、ユーザから入力した機能操作指令を取得する；
認証モジュール、前記取得モジュールが取得した前記機能操作指令と対応する操作は認証である場合、ユーザの指紋をスキャニングし、ユーザの指紋よりユーザに対し身分認証を行う；
保存モジュール、前記取得モジュールが取得した前記機能操作指令と対応する操作はデータの保存である場合、データを所定の保存スペースに保存する；
充電モジュール、前記取得モジュールが取得した前記機能操作指令と対応する操作は充電である場合、所定の設備に対し充電する。
【０００７】
本発明の実施例が提供された技術案は、下記の有益な効果を有する。
【０００８】
本発明は機能操作指令を取得することにより、機能操作指令と対応する操作に基づいて、認証、データ保存、充電など複数の機能を実現して、ユーザの使用に便利を図る。
【図面の簡単な説明】
【０００９】
本発明実施例の技術案をより一層明確に説明するために、以下実施例に記載された図面について簡単に紹介する。明らかに、下記された図面はただ本発明実施例の一部であり、当業者にとって、創造的な労働をせず、それらの図面から他の図面をもらえる。
【００１０】
【図１】図1は、本発明実施例一が提供した多機能MCUの実現方法のフロー図である。
【図２】図2は、本発明実施例二が提供した第一種目多機能MCUの構造図である。
【図３】図3は、本発明実施例二が提供した第二種目多機能MCUの構造図である。
【図４】図4は、本発明実施例二が提供した第三種目多機能MCUの構造図である。
【図５】図5は、本発明実施例二が提供した第四種目多機能MCUの構造図である。
【図６】図6は、本発明実施例二が提供した第五種目多機能MCUの構造図である。
【図７】図7は、本発明実施例二が提供した第六種目多機能MCUの構造図である。
【図８】図8は、本発明実施例二が提供した第七種目多機能MCUの構造図である。
【図９】図9は、本発明実施例二が提供した第八種目多機能MCUの構造図である。
【図１０】図10は、本発明実施例二が提供した第九種目多機能MCUの構造図である。
【図１１】図11は、本発明実施例二が提供した第十種目多機能MCUの構造図である。
【図１２】図12は、本発明実施例二が提供した第十一種目多機能MCUの構造図である。
【図１３】図13は、本発明実施例二が提供した第十二種目多機能MCUの構造図である。
【図１４】図14は、本発明実施例二が提供した第十三目多機能MCUの構造図である。
【発明を実施するための形態】
【００１１】
本発明の目的、技術案及び優れた点はより一層明確になるために、以下では、図面を参照して本発明の実施形態について詳しく記述する。
【００１２】
実施例一
本発明の実施例は多機能MCU (Micro Control Unit、マイクロコントロールユニット)の実現方法を開示され、図1に示すように、前記方法は下記の内容を含む：
101：ユーザから入力した機能操作指令を取得する。
102：もし前記機能操作指令が対応する操作は認証である場合、ユーザの指紋をスキャニングし、ユーザの指紋よりユーザに対し身分認証を行う；もし前記機能操作指令が対応する操作はデータの保存である場合、データを所定の保存スペースに保存する；もし前記機能操作指令が対応する操作は充電である場合、所定の設備に対し充電する。
【００１３】
具体的には、データ情報はユーザの指紋情報でもよいし、ユーザが移動端末を使用中生じられた各種の応用情報でもよいし、ユーザが所望の保存される各種の資料情報などでもよい。
【００１４】
具体的には、所定の設備に対し充電するのは、所定のバッテリーによって所定の設備に対し充電してもよいし、所定のワイヤレス充電によって所定の設備に対し充電してもよい等。
【００１５】
好ましくは、前記方法は、
もし機能操作指令が対応する操作はデータ伝送である場合、所定の設備の間にデータ伝送を行なうことを更に含む。
【００１６】
具体的には、ユーザのジェスチャの相違より（タッチングの方式でユーザの異なるジェスチャを取得できる）、異なるデータ伝送の操作をする。例えば一対一のデータ伝送でもよいし、一対複数のデータ伝送でもよく、更にデータ伝送の時データを暗号化する等。
【００１７】
具体的には、所定のデータ伝送モジュールセット、例えば赤外線、ブルートゥース、有線通信インターフェース、NFC、Wifi、Waveconexなどによってデータ伝送を実現する。
【００１８】
好ましくは、前記方法は、
もし機能操作指令が対応する操作は秘密鍵の生成である場合、ユーザの指紋より公開鍵及び私有鍵を生成して、公開鍵を所定の保存スペースに転送し、私有鍵を所定の保存スペースに保存することを更に含む。
【００１９】
そのうち、所定の設備がサーバーなど設備でもよく、所定の保存スペースが本地に設置してもよいし、所定の設備の中に設置してもよい。
【００２０】
好ましくは、前記方法は、
もし機能操作指令が対応する操作は暗号化である場合、所定の通信情報及び通信ファイルを公開鍵で暗号化され、暗号化された通信情報及び通信ファイルを受信端に送信することを更に含む。
【００２１】
そのうち、所定の通信情報はユーザが入力した電子メール、即時通話、音声又はショートメッセージSMSなどでよいし、所定の通信ファイルがテキストファイル、音声動画ファイルでもよい。
【００２２】
好ましくは、前記方法は、
もし機能操作指令が対応する操作は解読である場合、暗号化された通信情報及び通信ファイルを私有鍵で解読して、解読された通信情報及び通信ファイルを得ることを更に含む。
【００２３】
好ましくは、前記方法は、
もし機能操作指令が対応する操作はロックスクリーンである場合、所定のスクリーンをロックすることを更に含む。
【００２４】
好ましくは、前記方法は、
もし機能操作指令が対応する操作はプログラムをロックする場合、所定のプログラムをロックすることを更に含む。
【００２５】
具体的には、所定のプログラムがロックされた後、許可されないユーザが前記プログラムを使用できない。
【００２６】
好ましくは、前記方法は、
もし機能操作指令が対応する操作は異なる指紋より異なるプログラムをロックすることを設定する場合、所定の指紋をスキャニングし、所定の指紋と対応するプログラムを起動することを更に含む。
【００２７】
所定の指紋をスキャニングより、所定の指紋と対応するプログラムを起動することは、ユーザがインターフェイスでプログラムを起動する手間を軽減する。
【００２８】
好ましくは、前記方法は、
もし機能操作指令が対応する操作は暗号化情報をチェックする時間又は解読された情報が表示される時間を設定する場合、暗号化情報の時間設定インターフェイス又は解読された情報の時間設定インターフェイスを表示することを更に含む。
【００２９】
具体的には、ユーザは自分の望みにより、暗号化情報の時間設定インターフェイスで暗号化情報をチェックする時間を設定してもよいし、解読された情報の時間設定インターフェイスで解読された情報が表示される時間を設定してもよい。それによって、ユーザは特定の時間内に暗号化情報をチェックでき、ユーザが解読して得た解読情報が所定の時間内表示されるため、情報の安全を保証され、ユーザが関連事項の手配に便宜を図る。
【００３０】
好ましくは、前記方法は、
もし機能操作指令が対応する操作は外部機器を操作する場合、所定の操作プロセスに従って対応する外部機器を操作することを更に含む。
【００３１】
そのうち、外部機器が個性電子表示、外部カメラ（所定の操作プロセスに従って外部カメラを操作して3Dファイルの作成などをできる）、外部振動音声読取装置（所定の操作プロセスに従って声を出せないユーザに音声の読取を助ける）、音声変化装置（所定の操作プロセスに従って元の声を変え、もう一種の個性的な声を出す（例えば、男性の声を女性の声に変換したり、弾性の声を動物の声に変換する等））を含む。
【００３２】
好ましくは、前記方法は、
もし機能操作指令が対応する操作は情報確認である場合、ユーザのショッピング情報を取得し、ユーザのショッピング情報を確認して、受注確認を生成することを更に含む。
【００３３】
好ましくは、ユーザが入力した機能操作指令を取得してから：
所定の機能操作指令と操作との対応関係を照会する；
所定の機能操作指令と対応する操作が照会結果に入るか否かを判断する；
もし照会結果に入る場合、所定の機能操作指令と対応する操作のタイプを判断する；
もし機能操作指令が対応する操作は認証である場合、ユーザの指紋をスキャニングし、ユーザの指紋よりユーザに対し身分認証を行うステップを実行する；
もし機能操作指令が対応する操作はデータの保存である場合、データを所定の保存スペースに保存するステップを実行する；
もし機能操作指令が対応する操作は充電である場合、所定の設備に対し充電するステップを実行することを更に含む。
【００３４】
好ましくは、前記方法は、
もし機能操作指令が対応する操作はデータ伝送である場合、所定の設備の間にデータ伝送を行なうことを更に含む。
【００３５】
説明する必要なのは、多機能MCUの機能は前記のものに限らず、実際応用の需要に応じて機能を増えてもよい。異なる機能を有する多機能MCUを異なるバージョンを作成でき、多機能MCUのバージョンにより区別することができる。
【００３６】
本発明実施例に記載の多機能MCUの実現方法は、機能操作指令の取得より、機能操作指令と対応する操作に基づいて、認証、データ保存、充電など複数の機能を実現して、ユーザの使用に便利を図る。多機能MCUによって、暗号化、解読、ロックスクリーンなど多種の機能を実現でき、実現しやすく、ユーザの使用に便利を図る。
【００３７】
実施例二
本発明の実施例は多機能MCUを開示され、図2に示すように、前記多機能MCU20は下記の部分を含む：
ユーザから入力した機能操作指令を取得する取得モジュール201；
取得モジュール201が取得した機能操作指令と対応する操作は認証である場合、ユーザーの指紋をスキャニングし、ユーザの指紋よりユーザに対し身分認証を行う認証モジュール202；
取得モジュール201が取得した機能操作指令と対応する操作はデータの保存である場合、データを所定の保存スペースに保存する保存モジュール203；
取得モジュール201が取得した機能操作指令と対応する操作は充電である場合、所定の設備に対し充電する充電モジュール204。
【００３８】
具体的には、ユーザは音声、ジェスチャタッチ、オンオフなど方式で機能操作指令を入力できる。対応的に、取得モジュール201は音声取得モジュール201（ユーザがジェスチャタッチ方式により入力した機能操作指令を取得する）、信号取得モジュール201（ユーザがオンオフ方式により入力した機能操作指令を取得する。例えば複数のスイッチを設置して、スイッチごとが一種の機能操作指令に対応する）などでもいい。
【００３９】
具体的には、データ情報はユーザの指紋情報でもよいし、ユーザが移動端末を使用中生じられた各種の応用情報でもよいし、ユーザが所望の保存される各種の資料情報などでもよい。
【００４０】
好ましくは、図3に示すように、前記多機能MCU20は更に下記の部分を含む：
取得モジュール201が取得した機能操作指令と対応する操作はデータ伝送である場合、所定の設備の間にデータ伝送を行なう第1の伝送モジュール205。
【００４１】
具体的には、多機能MCUと他の設備の間にデータ伝送をしてもよいし、多機能MCUの内部でデータ伝送をしてもよい。
【００４２】
好ましくは、図4に示すように、前記多機能MCU20は更に下記の部分を含む：
取得モジュール201が取得した機能操作指令と対応する操作は秘密鍵の生成である場合、ユーザの指紋より公開鍵及び私有鍵を生成して、公開鍵を所定の保存スペースに転送し、私有鍵を所定の保存スペースに保存する秘密鍵生成モジュール206。
【００４３】
好ましくは、図5に示すように、前記多機能MCU20は更に下記の部分を含む：
取得モジュール201が取得した機能操作指令と対応する操作は暗号化である場合、所定の通信情報及び通信ファイルを公開鍵で暗号化され、暗号化された通信情報及び通信ファイルを受信端に送信する暗号化モジュール207。
【００４４】
好ましくは、図6に示すように、前記多機能MCU20は更に下記の部分を含む：
取得モジュール201が取得した機能操作指令と対応する操作は解読である場合、暗号化された通信情報及び通信ファイルを私有鍵で解読して、解読された通信情報及び通信ファイルを得る解読モジュール208。
【００４５】
好ましくは、図7に示すように、前記多機能MCU20は更に下記の部分を含む：
取得モジュール201が取得した機能操作指令と対応する操作はロックスクリーンである場合、所定のスクリーンをロックするロックスクリーンモジュール209。
【００４６】
好ましくは、図8に示すように、前記多機能MCU20は更に下記の部分を含む：
取得モジュール201が取得した機能操作指令と対応する操作はプログラムをロックする場合、所定のプログラムをロックするロックプログラムモジュール210。
【００４７】
好ましくは、図9に示すように、前記多機能MCU20は更に下記の部分を含む：
取得モジュール201が取得した機能操作指令と対応する操作は異なる指紋より異なるプログラムをロックすることを設定する場合、所定の指紋をスキャニングし、所定の指紋と対応するプログラムを起動する起動モジュール211。
【００４８】
好ましくは、図10に示すように、前記多機能MCU20は更に下記の部分を含む：
取得モジュール201が取得した機能操作指令と対応する操作は暗号化情報をチェックする時間又は解読された情報が表示される時間を設定する場合、暗号化情報の時間設定インターフェイス又は解読された情報の時間設定インターフェイスを表示する時間設定モジュール212。
【００４９】
好ましくは、図11に示すように、前記多機能MCU20は更に下記の部分を含む：
取得モジュール201が取得した機能操作指令と対応する操作は外部機器を操作する場合、所定の操作プロセスに従って対応する外部機器を操作する外部モジュール213。
【００５０】
好ましくは、図12に示すように、前記多機能MCU20は更に下記の部分を含む：
取得モジュール201が取得した前記機能操作指令と対応する操作は情報確認である場合、ユーザのショッピング情報を取得し、ユーザのショッピング情報を確認して、受注確認を生成する確認モジュール214。
【００５１】
好ましくは、図13に示すように、前記多機能MCU20は更に下記の部分を含む：
取得モジュール201が取得したユーザが入力した機能操作指令を取得してから、所定の機能操作指令と操作との対応関係を照会する照会モジュール215；
照会モジュール215が所定の機能操作指令と対応する操作を照会できたか否かを判断する第1の判断モジュール216；
第1の判断モジュール216の判断結果は照会出来ました場合、所定の機能操作指令と対応する操作のタイプを判断する第2の判断モジュール217；
第2の判断モジュール217の判断結果は機能操作指令と対応する操作が認証である場合、認証モジュール202に通知して、ユーザの指紋をスキャニングし、ユーザの指紋よりユーザに対し身分認証を行うステップを実行する第1の通知モジュール218；
第2の判断モジュール217の判断結果は機能操作指令と対応する操作がデータの保存である場合、保存モジュール203に通知して、データを所定の保存スペースに保存するステップを実行する第2の通知モジュール219；
第2の判断モジュール217の判断結果は機能操作指令と対応する操作が充電である場合、充電モジュール204に通知して、所定の設備に対し充電するステップを実行する第3の通知モジュール220。
【００５２】
好ましくは、図14に示すように、前記多機能MCU20は更に下記の部分を含む：
第2の判断モジュール217の判断結果は機能操作指令と対応する操作がデータ伝送である場合、所定の設備の間にデータ伝送を行なう第2の伝送モジュール221。
【００５３】
本発明実施例に記載の多機能MCUの実現方法は、機能操作指令の取得より、機能操作指令と対応する操作に基づいて、認証、データ保存、充電など複数の機能を実現して、ユーザの使用に便利を図る。多機能MCUによって、暗号化、解読、ロックスクリーンなど多種の機能を実現でき、実現しやすく、ユーザの使用に便利を図る。
【００５４】
上記された本発明の実施例の番号は記述するためだけ、実施例の優劣を代表しない。
【００５５】
当業者として下記のことを良く理解できる。上記された実施例の全部又は部分のステップはハードウェアより、或いはプログラムより関連ハードウェアを指令することで完成できる。前記プログラムはコンピューターの可読記憶媒体の中に保存できる。前記記憶媒体はROM、SDカード、磁気ディスク或いは光ディスク等である。
【００５６】
上記されたのは本発明のよりいい実施例だが、本発明を限定されない。本発明の主旨及び原則の中に、如何なる訂正、同等取替え、改善等、全部本発明の保護範囲に含まれる。
【図１】
2015008462.tif 000003
【図２】
2015008462.tif 000004
【図３】
2015008462.tif 000005
【図４】
2015008462.tif 000006
【図５】
2015008462.tif 000007
【図６】
2015008462.tif 000008
【図７】
2015008462.tif 000009
【図８】
2015008462.tif 000010
【図９】
2015008462.tif 000011
【図１０】
2015008462.tif 000012
【図１１】
2015008462.tif 000013
【図１２】
2015008462.tif 000014
【図１３】
2015008462.tif 000015
【図１４】
2015008462.tif 000016